(57)【特許請求の範囲】
【請求項１】
蛇口に取り付けられ、その下端部が流し内に収容される水受板を有し、前記水受板によって、前記流しの外に飛散しようとする水滴を受け止め、前記流し内に案内し、前記流しの底部に設けられた排水口から排出させる水はね防止具であって、
前記水受板は、
該水受板の外側に突設され、前記水受板の下端部に長手方向に沿って複数個形成されると共に、当該水はね防止具を前記流しに取り付けたとき、前記流しの内壁面に当接し、前記内壁面と前記水受板との間に、前記流しと前記水受板の間に流入した水を前記排水口に流出させる間隙を形成する凸部と、
当該水はね防止具を前記流しに取り付けたとき、前記流しの周縁に当接する部位を有する略平板状の基板部と、
該基板部の両側から前方に湾曲して延びる側方湾曲部と、
前記側方湾曲部に設けられ、当該水はね防止具を前記流しに取り付けたとき、前記流しの内壁面の側壁部に吸着し、前記基板部の前記流し周縁に当接した部位と共に該水はね防止具を前記流し内に安定的に固定し、前記凸部と共に前記内壁面と前記水受板が密接しないよう前記間隙を安定的に形成する吸盤と、を有し、
前記吸盤は、前記水受板の前記側方湾曲部に形成された吸盤取付孔に装着され、該吸盤の内端部側に形成されたピン孔に取り付けられる吸盤固定ピンによって抜け止め固定されることを特徴とする水はね防止具。
【請求項２】
請求項１記載の水はね防止具において、
前記吸盤固定ピンは、球状の頭部と、該頭部から突設され前記ピン孔内に挿入される脚部と、を有し、
前記脚部は、中央にスリットを有する二股形状に形成されると共に、その外径が前記ピン孔の内径よりも大径となっており、
該脚部は、前記スリットを縮める形で外径を縮径させて前記ピン孔内に挿入装着され、前記ピン孔内にて弾性的に拡径して該ピン孔内に固定されることを特徴とする水はね防止具。
【発明の詳細な説明】
【技術分野】
【０００１】
本発明は、洗面台や流し台などに取り付けて水の飛散を防止する水はね防止具に関する。
【背景技術】
【０００２】
洗面所や台所などの洗面台や流し台では、手洗いや洗面、水仕事等の際に、洗面ボウルなどの流しから周囲に水滴が飛び散るのを防止するため、特許文献１,２のような水はね防止具が提案されている。特許文献１の水はね防止具では、洗面ボウルの脇のカウンターに板材を直立させ、カウンターを超えて飛び散ろうとする水滴を板材によって遮断する。特許文献２の水はね防止具は、凹状の水受面を備えた水受板を洗面ボウルの奥壁部に取り付け、この水受板にて飛散する水滴を受け止め、洗面台周りへの水はねを防止している。
【先行技術文献】
【特許文献】
【０００３】
【特許文献１】特開平１１−２２５８９８号公報
【特許文献２】特開２００５−３４２３８号公報
【特許文献３】特開２００６−１５２７５３号公報
【発明の概要】
【発明が解決しようとする課題】
【０００４】
ところが、従来の水はね防止具は、洗面ボウルに水はね防止具を取り付けたとき、水はね防止具と洗面ボウルとの間が密接し易く、両者間に入り込んだ水が流出しにくく、洗面ボウルや水はね防止具の汚れの原因となるという問題があった。また、水はね防止具が洗面ボウルのオーバーフロー口を塞いでしまうおそれがあり、洗面ボウル内の水がうまくオーバーフローしないという問題もあった。この場合、特許文献２の水はね防止具では、水受板を傾斜させて洗面ボウル内に取り付けることにより、水はね防止具と洗面ボウルとの間に間隙を確保している。しかしながら、様々な仕様の各種流しと水はね防止具との間に、水受板をうまく傾斜させて安定的に間隙を形成することが難しく、水はね防止具の取り付けに相当の工夫が必要となる。
【０００５】
また、洗面ボウルに水はね防止具を取り付ける際、流しの各種仕様に対応して水はね防止具をうまく固定するのは難しく、これが、水はね防止具と洗面ボウルとの間に適当な間隙を形成できない一因ともなっていた。
【０００６】
本発明の目的は、流しの各種仕様に対応しつつ、水はね防止具と洗面ボウルとの間に適切な間隙を確実に形成することにある。また、本発明の他の目的は、水はね防止具を容易かつ安定的に洗面ボウルに固定することにある。
【課題を解決するための手段】
【０００７】
本発明の水はね防止具は、蛇口に取り付けられ、その下端部が流し内に収容される水受板を有し、前記水受板によって、前記流しの外に飛散しようとする水滴を受け止め、前記流し内に案内し、前記流しの底部に設けられた排水口から排出させる水はね防止具であって、前記水受板は、該水受板の外側に突設され、前記水受板の下端部に長手方向に沿って複数個形成されると共に、当該水はね防止具を前記流しに取り付けたとき、前記流しの内壁面に当接し、前記内壁面と前記水受板との間に、前記流しと前記水受板の間に流入した水を前記排水口に流出させる間隙を形成する凸部と、当該水はね防止具を前記流しに取り付けたとき、前記流しの周縁に当接する部位を有する略平板状の基板部と、該基板部の両側から前方に湾曲して延びる側方湾曲部と、前記側方湾曲部に設けられ、当該水はね防止具を前記流しに取り付けたとき、前記流しの内壁面の側壁部に吸着し、前記基板部の前記流し周縁に当接した部位と共に該水はね防止具を前記流し内に安定的に固定し、前記凸部と共に前記内壁面と前記水受板が密接しないよう前記間隙を安定的に形成する吸盤と、を有し、前記吸盤は、前記水受板の前記側方湾曲部に形成された吸盤取付孔に装着され、該吸盤の内端部側に形成されたピン孔に取り付けられる吸盤固定ピンによって抜け止め固定されることを特徴とする。
【０００８】
本発明にあっては、水受板の外側に凸部を設け、水はね防止具を流しに取り付けたとき、この凸部が流しの内壁面に当接するようにしたので、水受板と流しとの間に隙間が形成される。これにより、水はね防止具と流しの内壁面との間に、洗面ボウルの仕様によらず、一定の距離を持った間隙を確実に形成できる。
【０００９】
前記水はね防止具において、前記吸盤固定ピンは、球状の頭部と、該頭部から突設され前記ピン孔内に挿入される脚部と、を有し、前記脚部は、中央にスリットを有する二股形状に形成されると共に、その外径が前記ピン孔の内径よりも大径となっており、該脚部は、前記スリットを縮める形で外径を縮径させて前記ピン孔内に挿入装着され、前記ピン孔内にて弾性的に拡径して該ピン孔内に固定されるようにしても良い。
【発明の効果】
【００１０】
本発明によれば、水はね防止具の水受板に、水はね防止具を流しに取り付けたとき、流しの内壁面に当接する凸部を設けたので、水受板と流しとの間に確実に隙間を形成することが可能となる。これにより、水はね防止具と洗面ボウルとの間が密接しにくくなり、両者間内の水が容易に流出し、洗面ボウルや水はね防止具が汚れにくくなる。また、水受板の下端がオーバーフロー口にかかる場合であっても、水受板と洗面ボウルとの間に、オーバーフロー口につながる排水路を確保することが可能となる。
【図面の簡単な説明】
【００１１】
【図１】本発明の一実施例である水はね防止具の使用状態を示す斜視図である。
【図２】図１の水はね防止具の拡大斜視図である。
【図３】吸盤の取付構造を示す説明図である。
【図４】吸盤固定ピンの変形例を示す説明図であり、（ａ）はその正面、（ｂ）は側面、（ｃ）はその取付状態を示す説明図である。
【図５】エッジカバーの取付構造を示す説明図であり、（ａ）はその正面図、（ｂ）は（ａ）のＡ−Ａ線に沿った断面図である。
【図６】ボスと奥壁部の当接部の構成を示す説明図である。
【発明を実施するための形態】
【００１２】
以下、本発明の実施例を図面に基づいて詳細に説明する。図１は、本発明の一実施例である水はね防止具１の使用状態を示す斜視図、図２は、図１の水はね防止具１の拡大斜視図である。図１に示すように、水はね防止具１が取り付けられる洗面台１０は、流しとしての洗面ボウル１１と、洗面ボウル１１の周囲を取り囲むように形成されるカウンター１３とを備えている。カウンター１３の背後には、上方に延びるバックガード１４が取り付けられている。バックガード１４には、化粧鏡１５が取り付けられている。バックガード１４と洗面ボウル１１との間のカウンター１３には、蛇口１６が取り付けられている。なお、バックガード１４を全て化粧鏡によって覆うようにしても良い。
【００１３】
蛇口１６は、上方に延びる蛇口本体１７を備えている。蛇口本体１７の上端には、水栓レバー１８が組み付けられている。蛇口本体１７の外周面には、ほぼ水平方向に延びる導水管１９が設けられている。導水管１９の先端には、下方に開口する吐水口２０が設けられている。水栓レバー１８を操作することにより、吐水口２０から水道水が流出する。洗面ボウル１１の底面には、排水口２１が形成されている。洗面ボウル１１内に流された水道水は、排水口２１より外部に排出される。洗面ボウル１１の奥壁部１２ａには、洗面ボウル１１内の上限水位を定めるオーバーフロー口２２が形成されている。上限水位に達した水道水は、オーバーフロー口２２から排水される。
【００１４】
水はね防止具１は、図１,２に示すように、水受板２によって形成されている。水受板２は、略平板状の基板部２ａと、基板部２ａの両側から前方（手前側）に湾曲して延びる側方湾曲部２ｂとを備えている。水受板２には、基板部２ａと側方湾曲部２ｂとによって凹状の水受面３が形成されている。水受板２の上部は、水受面３側（手前側）に湾曲して延びる上方湾曲部２ｃとなっている。水受板２は、合成樹脂材料を用いて一体に成型されており、樹脂材料としては、例えば、ＰＥＴ（ポリエチレンテレフタレート）樹脂が用いられる。
【００１５】
基板部２ａの中央部やや上方には、取付孔４が開口形成されている。水はね防止具１は、この取付孔４に導水管１９を挿通することにより、図１に示すように、蛇口１６に取り付けられる。水受板２の上部にはまた、２つの貫通孔５が形成されている。貫通孔５は、取付孔４の両側にそれぞれ形成されており、各貫通孔５は、取付孔４から水受板２の幅方向にほぼ等間隔の位置に開口している。貫通孔５は、水受板２を安定させるために設けられており、万一、水受板２の取付状態が安定しない場合には、図２に示すように、貫通孔５に紐４１の一端を結びつける。そして、蛇口１６などに紐４１の他端を結び付けることにより、水受板２の揺れ動きを抑制できる。
【００１６】
水受板２の側方湾曲部２ｂの下端部外側には、吸盤３１が取り付けられている。図３は、吸盤３１の取付構造を示す説明図である。図３に示すように、吸盤３１は、側方湾曲部２ｂに形成された吸盤取付孔３２に装着される。吸盤取付孔３２に装着された吸盤３１は、吸盤固定ピン３３によって抜け止め固定される。吸盤３１には、ピン孔３１ａが設けられており、吸盤固定ピン３３はピン孔３１ａに挿入固定される。
【００１７】
吸盤固定ピン３３は、球状の頭部３３ａと、頭部３３ａから突設された脚部３３ｂとから構成されている。脚部３３ｂは、中央にスリット３３ｃを有する二股形状となっている。脚部３３ｂの外径は、ピン孔３１ａの内径よりも若干大径となっている。吸盤固定ピン３３は、スリット３３ｃを縮める形で脚部３３ｂを縮径させ、ピン孔３１ａに挿入装着される。脚部３３ｂは、ピン孔３１ａ内にて弾性的に拡径する。これにより、吸盤固定ピン３３がピン孔３１ａに固定され、吸盤３１が吸盤取付孔３２に抜け止めされた状態で装着される。
【００１８】
なお、吸盤固定ピン３３として、図４のような吸盤固定ピン４２を使用しても良い。図４（ａ）,（ｂ）に示すように、吸盤固定ピン４２では、脚部３３ｂに返し４３が設けられている。返し４３は、脚部３３ｂの延伸方向とは逆方向、すなわち、頭部３３ａに向かって尖った形となっている。返し４３は、脚部３３ｂから外側に向かって突出しており、返し４３の先端部は、脚部３３ｂの外径よりも突出している。このような返し４３は、吸盤固定ピン４２をピン孔３１ａに挿入するときは、ピン挿入の妨げとはならない。従って、ピン４２は、ピン孔３１ａにスムーズに挿入可能である。一方、図４（ｃ）のような状態から吸盤固定ピン４２を抜く方向に力が加わった場合は、返し４３がピン孔３１ａの壁面に引っ掛かり、ピン引き抜きに対して抵抗力が生じる。つまり、吸盤固定ピン４２は、返し４３により、ピン孔３１ａから抜けにくくなる。従って、図４の吸盤固定ピン４２を用いることにより、ピン４２は、さらに抜けにくい状態にてピン孔３１ａに固定される。
【００１９】
また、水受板２の下端部には、下縁部２ｄの長手方向に沿って、上端が平面状となった略半球状のボス（凸部）３４が複数個形成されている。ボス３４は水受板２の裏面側に突設されており、外方に向かって突出している。ボス３４は、２個１組となったペアが、中央に１組、両側部にそれぞれ３組設けられている。洗面ボウル１１に水はね防止具１を取り付けると、ボス３４の頂部が、奥壁部１２ａや側壁部１２ｂなどの洗面ボウル１１の内壁面１２に対向・当接し、洗面ボウル１１と水はね防止具１との間に隙間３５が形成される。
【００２０】
水受板２の上端部には、合成樹脂製のエッジカバー（カバー部材）３６が取り付けられている。図５は、エッジカバー３６の取付構造を示す説明図であり、（ａ）はその正面図、（ｂ）は（ａ）のＡ−Ａ線に沿った断面図である。エッジカバー３６は、塩化ビニルのような柔軟性のある合成樹脂にて形成されており、例えば、半透明な水色に着色されている。図５に示すように、エッジカバー３６は断面が略Ｕ字形となっており、その中央には装着溝（溝部）３７が形成されている。エッジカバー３６は、水受板２の上縁部２ｅを装着溝３７に挿入する形で、水受板２の上端部に装着される。なお、エッジカバー３６の透明度や色彩は、前述の「半透明／水色」には限定されず、不透明や他の色彩（例えば、赤や黄色など）とすることも可能である。
【００２１】
また、水受板２の上縁部２ｅには、長手方向に沿って、テープ挿入孔３８が複数個形成されている。テープ挿入孔３８は、エッジカバー脱落防止用のテープ３９を取り付けるために設けられている。テープ挿入孔３８には、エッジカバー３６を上縁部２ｅに装着した状態でテープ３９が取り付けられる。そして、テープ３９をテープ挿入孔３８に挿入しつつエッジカバー３６に複数回巻き付けることにより、エッジカバー３６は、水受板２の上縁部２ｅを挟持しつつ、水受板２の上端部に固定される。なお、図５（ｂ）では、理解を容易にするため、テープ３９の厚みを誇張して示している。また、同図では、テープ３９が１回巻装されている様子が示されているが、実際は、テープ３９を複数回巻装することが好ましい。
【００２２】
このような柔軟・有色のエッジカバー３６を透明な水受板２に取り付けることにより、水受板２の上端縁の存在が明確となる。このため、洗面や手洗い等の際に利用者の手や顔が上端縁にぶつからないように注意喚起することができる。また、万一、利用者が上端縁にぶつかった場合でも、エッジカバー３６が柔軟素材にて形成されているため、エッジのままの製品に比して、利用者の不快感も大幅に軽減される。さらに、板材に割れが生じた場合でも、割れ目がエッジカバー３６によって覆われ露出しないため、割れ部分に顔や手が当たってしまうことがない。従って、当該水はね防止具１は、従来の防止具に比して、利用者の使用感が損なわれず、子供や高齢者でも安心して洗面等を行うことが可能となる。
【００２３】
加えて、有色のエッジカバー３６は、透明な水受板２に対してデザイン上のアクセントともなる。従って、水はね防止具１の意匠的な美観も向上し、デザイン上の特徴を構成しつつ、利用者の使い勝手の向上を図ることが可能となる。
【００２４】
一方、当該水はね防止具１は、次のようにして洗面ボウル１１に取り付けられる。図１に示すように、水はね防止具１は、水受板２の取付孔４に蛇口１６の導水管１９を挿入する形で洗面ボウル１１に取り付けられる。この場合、水はね防止具１は、導水管１９に沿って、水受板２が洗面ボウル１１の周縁１１ａに接触するまで押し込まれる。そして、吸盤３１を洗面ボウル１１の側壁部１２ｂに吸着させる。これにより、水はね防止具１は、蛇口１６に取り付けられる形で、洗面ボウル１１に安定的に固定される。なお、万一、水受板２の取付状態が安定しない場合には、前述のように、貫通孔５に紐４１を取り付け、それを蛇口１６などに結び付けても良い。
【００２５】
水はね防止具１をこのようにして洗面ボウル１１に取り付けると、水受板２の裏面に形成されたボス３４が内壁面１２（奥壁部１２ａや側壁部１２ｂ）に当接する。図６は、ボス３４と内壁面１２との当接部の構成を示す説明図である。図６に示すように、ボス３４の頂部が内壁面１２に当接すると、水受板２と洗面ボウル１１との間に隙間３５が形成される。これにより、水はね防止具１と内壁面１２との間には、洗面ボウル１１の仕様によらず、一定の距離（ボス３４の高さＨ）を持った間隙が確実に形成される。この場合、水受板２は、前述のように、吸盤３１によってしっかりと洗面ボウル１１の内壁面１２に固定されるため、水受板２がばたつかず、隙間３５も安定的に形成される。従って、水はね防止具１と洗面ボウル１２が密接しにくくなり、両者間内の水が容易に流出し、洗面ボウル１２や水はね防止具１も汚れにくくなる。
【００２６】
図１の水はね防止具１では、水受板２の下端がオーバーフロー口２２の下方に位置しており、オーバーフロー口２２は水受板２によって塞がれた形となる。しかしながら、水はね防止具１においては、ボス３４によって隙間３５が形成されているため、水受板２と洗面ボウル１１との間にオーバーフロー口２２につながる流路が生じる。つまり、水受板２を取り付けた場合であっても、水受板２と洗面ボウル１１との間に生じる隙間３５を介して、オーバーフロー口２２と洗面ボウル１１内とが連通状態となり、オーバーフロー口２２からの排水が阻害されることがない。
【００２７】
このような洗面台１０では、水栓レバー１８を操作すると、蛇口１６の吐水口２０から水道水が流出する。これにより、洗面ボウル１１に衝突する際の跳ね返りは勿論のこと、洗面台１０で行われる各種作業によって、水滴が洗面ボウル１１の四方八方に飛び散る。ところが、図１のように水はね防止具１を洗面台１０に取り付けると、蛇口１６の方向に飛散する水滴は、水受板２に受け止められ遮断される。水受板２に遮断された水滴は、その後、重力によって水受板２の下方に案内される。その際、水受板２は、その下端が洗面ボウル１１内に入り込んだ状態となっているため、水受板２の下方に流れる水滴はそのまま洗面ボウル１１内に流れ込み、排水口２１から排出される。
【００２８】
また、水受板２の水受面３には、内側に向かって湾曲する側方湾曲部２ｂや上方湾曲部２ｃが設けられているため、上方や側方に飛散した水滴も洗面ボウル１１に向けて跳ね返る。従って、蛇口１６からの水量が増大して水滴の飛散状態が激しくなっても、水滴が洗面ボウル外に飛び散らず、飛散水滴を確実に洗面ボウル１１に案内することができる。
【００２９】
このように、洗面台１０に水はね防止具１を装着することにより、洗面や手洗い等の際に飛散する水滴を回収して洗面ボウル１１に戻すことができる。このため、洗面台１０の周囲に水滴がかかることがなく、洗面台１０の汚れを防止できることはもとより、清掃に手間を要する蛇口１６や、蛇口付近のカウンター１３及びバックガード１４の汚れも低減することができる。従って、洗面台１０を使用した後の通常の清掃作業は、障害物のない平滑なカウンター１３に付着した水滴を拭き取る容易な作業のみで良く、この作業を行うだけで洗面台１０を清潔に保つことができる。
【００３０】
また、蛇口１６の背後に設けられるバックガード１４は、図１に示すように、奥に入り込んでいるために清掃が行いにくいが、水はね防止具１を装着することにより、清掃回数を減らすることができ、清掃負担が軽減される。さらに、水滴跡が付きやすい化粧鏡１５の下部や、蛇口１６の金属面の汚れも防止でき、これらに関する清掃負担も軽減される。なお、特許文献３のようなカバーを蛇口１６に取り付け、その状態で水はね防止具１を装着しても良い。この様な蛇口カバーを取り付けることにより、蛇口周りに水滴が付着せず、清掃作業がさらに容易となる。
【００３１】
本発明は前記実施例に限定されるものではなく、その要旨を逸脱しない範囲で種々変更可能であることは言うまでもない。
例えば、前述の実施例では、水受板２の上縁部２ｅにエッジカバー３６を取り付ける構成を示したが、水受板２とエッジカバー３６を一体に成形した形態を採用することも可能である。この場合、水受板２とエッジカバー３６を前述同様の別素材にて二色成形しても良いが、同一素材にて、エッジカバー３６相当形状を上縁部２ｅに拡大形成しても良い。
【００３２】
また、水受板２とエッジカバー３６の固定方法は、前述のテープ３９には限定されず、接着剤を用いて両者を固定しても良い。その場合、前述のテープ挿入孔３８を接着剤溜まりとして使用し、その部位に接着を塗布するようにしても良く、テープ３９と接着剤を併用することも可能である。さらに、Ｕ字形のクリップや、ハトメ、タグピンなどを用いて水受板２にエッジカバー３６を固定しても良い。
【００３３】
加えて、ボス３４の形状は略半球状には限定されず、長手方向が長円形状となった凸部や、星形の凸部など任意の形状を採用可能である。また、上端が平面状ではなく、全体が球面状になった凸部でも良い。
【００３４】
一方、前述の実施例では、水はね防止具１を洗面台１０に取り付けているが、台所の流し台等に本発明の水はね防止具１を取り付けても良い。また、水はね防止具１の形状は、図示する形状に限られることはなく、洗面台１０や流し台の形状に応じて適宜変更しても良い。例えば、前述の水はね防止具１では、水受板２の基板部２ａを、ストレートタイプの洗面ボウルに合わせてほぼ平板状に形成しているが、基板部２ａの形状はこれに限られず、ラウンドタイプの洗面ボウルに合わせて基板部２ａを水平方向に湾曲させても良い。
【００３５】
さらに、前述の実施例では、水受板２をＰＥＴ樹脂にて形成しているが、水受板２の材料はＰＥＴ樹脂限られることはなく、耐水性を備える材料であれば他の材料を用いて水受板２を形成しても良い。また、貫通孔５の紐４１に関しても、前述のように、他端を蛇口１６に結び付けるのではなく、他端側に吸盤やねじ部材を取り付け、それらをバックガード１４や化粧鏡１５に固定することにより、水受板２の取付状態を安定させても良い。なお、貫通孔５の部位に吸盤を取り付け、奥壁部１２ａに吸着させても良い。
【符号の説明】
【００３６】
１    水はね防止具
２    水受板
２ａ  基板部
２ｂ  側方湾曲部
２ｃ  上方湾曲部
２ｄ  下縁部
２ｅ  上縁部
３    水受面
４    取付孔
５    貫通孔
１０    洗面台
１１    洗面ボウル
１１ａ  周縁
１２    内壁面
１２ａ  奥壁部
１２ｂ  側壁部
１３    カウンター
１４    バックガード
１５    化粧鏡
１６    蛇口
１７    蛇口本体
１８    水栓レバー
１９    導水管
２０    吐水口
２１    排水口
２２    オーバーフロー口
３１    吸盤
３１ａ  ピン孔
３２    吸盤取付孔
３３    吸盤固定ピン
３３ａ  頭部
３３ｂ  脚部
３３ｃ  スリット
３４    ボス（凸部）
３５    隙間
３６    エッジカバー（カバー部材）
３７    装着溝（溝部）
３８    テープ挿入孔
３９    テープ
４１    紐
４２    吸盤固定ピン
４３    返し
Ｈ      ボス高さ
【図１】
0006029815.tif 000002
【図２】
0006029815.tif 000003
【図３】
0006029815.tif 000004
【図４】
0006029815.tif 000005
【図５】
0006029815.tif 000006
【図６】
0006029815.tif 000007